(57)【要約】【課題】            ボーリング用ボールのフィンガー（中指及び薬指）孔並びにサム（親指）孔を穿孔する際に、球面におけるそれら複数点の間隔及び関係位置を定め、それらのドリルビット中心点を正確、かつ、簡便に設定できるようにすること。【解決手段】        長方形薄板の長手方向中央部に、細幅長方形スリット２を切り抜くとともに、右端上部角から４５度線上に複数個の小穴２１、２２、２３、２４、２５を穿設し、かつ、その裏面３には前記細幅長方形スリット２の左端を基点４とする内側目盛５を設定してなる機能性スパンゲージを構成することにより、所望に応じたフィンガー孔及びサム孔を常に一定の高精度・高品質を保全しつつ、迅速に穿孔できた。【選択図】          図３
0003158328.tif 000002
【実用新案登録請求の範囲】
【請求項１】
長方形薄板の長手方向中央部に、細幅長方形スリット（２）を切り抜くとともに、右端上部角から４５度線上に複数個の小穴（２１）、（２２）、（２３）、（２４）、（２５）を穿設し、かつ、その裏面（３）には前記細幅長方形スリット（２）の左端を基点（４）とする内側目盛（５）を設定してなることを特徴とする機能性スパンゲージ。
【請求項２】
長方形薄板が、鋼材又はプラスチックス材又は木竹材である請求項１記載の機能性スパンゲージ。
【考案の詳細な説明】
【技術分野】
【０００１】
本考案は、機能性スパンゲージに関する。
【背景技術】
【０００２】
従来、複数の区間の位置関係を検出する測定定規が知られている（例えば、特許文献１参照。）。
また、交角・距離測定定規も知られている（例えば、特許文献２参照。）。
【先行技術文献】
【特許文献】
【０００３】
【特許文献１】特許第４０５４０４８号公報
【特許文献２】特開平０８−０７５４０１号公報
【考案の概要】
【考案が解決しようとする課題】
【０００４】
要するに、特許文献１記載の発明は、図面や絵にも使いやすく、大きな部分でも小さな部分でも十分な精度となる黄金分割の測定目盛りを提供するものである。
【０００５】
また、特許文献２記載の発明は、ケーブル管路等の直線部と湾曲部との長さおよび湾曲部における交角を迅速に測定できる定規を提供するにある。
【０００６】
本考案は、ボーリング用ボール（以下、単に「ボール」と言う。）のフィンガー（中指及び薬指）孔及びサム（親指）孔をドリルにて穿孔する際に、球体の湾曲面におけるそれら複数孔の間隔及び関係位置を高精度に定め、それらの孔のドリルビット中心点を正確、かつ、簡便容易に設定できるようにし、前記三つの孔を迅速、かつ、常に一定の高精度・高品質の穿孔に役立つことを目的として開発した機能性スパンゲージを提供するにある。
【０００７】
つまり、従来前記三つの孔を穿孔するには外側目盛の直線定規を用いて間隔・関係位置を定めているので、精度的に劣り、また、ドリルビット中心点を見出すことができず、関係方向の接線にドリル外径をその都度手探りで合致させながら穿孔していた。
【０００８】
このため、穿孔にばらつきが生じ一定の高精度・高品質性を維持することはできず、しかも、穿孔までの作業の迅速性が全く欠如している。
【０００９】
したがって、本考案は前記先行技術文献記載の発明とは技術分野を異にする。
【課題を解決するための手段】
【００１０】
而して、前記課題を解決し、かつ、その目的を達成すべき本案の要旨とするところは、長方形薄板の長手方向に、表面の右端を基点とする外側目盛を設定し、かつ、前記長手方向中央部に細幅長方形スリットを切り抜くとともに、前記右端上部角から４５度線上に複数個の小穴を穿設し、裏面には前記細幅長方形スリットの左端を基点とする内側目盛を設定してなる機能性スパンゲージである。
【００１１】
ところで、図１１は従前からの直線定規がボールに接した態様を示したものである。
この場合、直線定規はボールの湾曲面に沿って湾曲しながら接するので、これを一点鎖線で示すボールの中心線に合わせた場合、該中心線から離れて湾曲し、再び中心線を横切るように湾曲してしまう。
【００１２】
したがって、この直線定規は中心線に沿って合致することはなく、しかも、直線を引くこともできず、単に外側目盛に沿って曲線を引けるだけである。
【００１３】
そして、図１０は本考案の本体がボールの湾曲面に接した態様を示したものである。
この場合、細幅長方形スリットの間口を見ながら該間口の長手方向中央部をボールの中心線に合わすことができる。
【００１４】
また、前記中心線に対し、相対する方向に同間隔の平行線を互いの内側エッジに沿って線引きすることができ、ボールの任意の湾曲面に対しても直線を引くことができる。
【００１５】
けだし、細幅長方形スリットの相対向する内側エッジがボールの湾曲面に同時接触するからである。
【００１６】
次に、本考案による本体を使用してボールのメジャーリングからドリルまでを説明する。
【００１７】
先ず、図７にみられるように、ボールの中心縦方向にグリップラインを線引きし、該グリップラインの中心横方向に水平直角にグリップセンターラインを引く。
【００１８】
次に、中指と親指の内側間に前記グリップラインに対し直角にスパンラインを引く。
【００１９】
前記スパンラインは、グリップセンターラインに対し同間隔にし、さらに、中指と薬指の間にブリッジラインをグリップラインに対しては平行に、スパンラインに対しては水平直角に引く。
【００２０】
そして、図８にみられるように、本体表面の角部の二辺を中指のスパンラインとブリッジラインの双方に接することにより、複数個の小穴から所望するサイズの中指のドリルビット中心点を見出し、刻印する。
【００２１】
また、本体を裏返して同様の作業をすることにより、薬指のドリルビット中心点を見出し、刻印する。
【００２２】
さらに、本体を裏返したままの状態で、親指のスパンラインに本体端部辺を接し、かつ、グリップライン上に重なった複数の小穴から、所望するサイズの親指のドリルビット中心点を見出し、刻印する。
【００２３】
その後、それぞれの刻印点を中心としてドリルすれば、ボールに所望したインチサイズの中指孔、薬指孔及び親指孔が得られる。
【考案の効果】
【００２４】
本考案によれば、本体をボールの湾曲面に沿って接するだけで、ボールの湾曲面に描かれた直線に合致させることができ、また、ボールの湾曲面に沿って直線や平行線を引くこともでき、これが機能的・相乗的に中指及び薬指並びに親指孔のドリルビット中心点を迅速、かつ、正確に見出し、刻印できる。
【００２５】
したがって、熟練を要せずして常に一定の高精度、かつ、高品質の穿孔が頗る簡便迅速に得られる。
【図面の簡単な説明】
【００２６】
【図１】本考案に係る本体の一実施例を示す斜視図である。
【図２】本考案に係る本体の一実施例を示す表面図である。
【図３】本考案に係る本体の一実施例を示す裏面図である。
【図４】本考案に係る本体の一実施例を示す一部省略した拡大表面図である。
【図５】本考案に係る本体の一実施例を示す一部省略した拡大裏面図である。
【図６】本考案に係る本体の一実施例を示す一部省略した説明的な拡大表面図である。
【図７】ボーリング用ボールにおける球体の線引き工程図である。
【図８】ボーリング用ボールにおける球体のドリルビット中心点の設定工程図である。
【図９】ボーリング用ボールにおける穿孔した三点間の間隔並びに関係位置を示す説明図である。
【図１０】ボーリング用ボールにおける中心線に対し、本考案の本体を当接した態様を示す説明図である。
【図１１】ボーリング用ボールにおける中心線に対し、直線定規を当接した態様を示す説明図である。
【考案を実施するための形態】
【００２７】
ボールのグリップラインに本体の細幅長方形スリットの長手方向中央部間口を合致させ、同時にフィンガー間のブリッジラインを平行に線引きし、スパンラインと直角に交差する二辺を得る。
【００２８】
本体の二辺を前記二辺に合致させると同時に、小穴からフィンガー孔のドリルビット中心点を得る。
【００２９】
また、本体の端部辺をスパンラインに接しながら、小穴をグリップライン上に位置せしめてサム孔のドリルビット中心点を得る。
【実施例】
【００３０】
次に、本案の実施例について図面を参照しつつ説明する。
【００３１】
図中、符号１は鋼材で製した本体を示す。
【００３２】
そして、本体１の長手方向に設けた細幅長方形スリット２の内幅を１／８インチに設定し、かつ、図５にみられるように、裏面３には前記細幅長方形スリット２の左端を基点４とした内側目盛５を１／３２インチ間隔で０から６インチ設定したものである。
【００３３】
図７及び図１０にみられるように、本体１をボール６に当接し、かつ、細幅長方形スリット２の長手方向中央部をボール６のグリップライン７に合致させることにより、細幅長方形スリット２の長手方向内側の相互のエッジ８、９がボール６の湾曲面に接し、内側目盛５及びエッジ８、９に沿って、グリップライン７を中心とした二本の平行直線、つまり、ブリッジライン１０、１１を線引きする。
【００３４】
したがって、フィンガー孔とサム孔の内側間におけるスパンライン１２、１３とフィンガー孔どうしの内側間におけるブリッジライン１０、１１は、何れも１／３２インチの精度が得られる。
【００３５】
図４及び図６には、本体１の表面１４の右端を基点１５とする外側目盛１６を設けたことが示されている。これは、１／１６インチ目盛間隔で０から６インチ設定し、６３／４インチの位置に小穴１７を穿ったもので、図１１に示す従前の直線定規１８と変らない。
【００３６】
しかし、このような外側目盛１６でスパンライン１２、１３及びブリッジライン１０、１１を計測した場合、何れも１／１６インチの精度が得られるだけである。
【００３７】
すなわち、外側目盛１６で計るより、内側目盛５で計るほうが精度の向上に役立つことは前述してきたとおりである。
【００３８】
さらに、細幅長方形スリット２の基点４に、スリット切り込み端の一部を表面１４側に垂直に立ち起こして基点柱１９を設けることもできる。
【００３９】
つまり、基点柱１９を穿孔した任意の孔に差し込めば、フィンガー孔とサム孔の間やフィンガー孔どうし間のブリッジ２０を内側目盛５によって１／３２インチの精度を以って計ることができる。
【００４０】
次に、本体１の表面１４の右端上部角から４５度線上に５個の小穴２１、２２、２３、２４、２５を穿った。
【００４１】
これらの小穴２１、２２、２３、２４、２５は、本体１の外側目盛１６方向と本体１の右端の基点４方向が直角に交差する点、つまり、それら二方向までの１／２の寸法を４５度線上にドリルビット中心点として穿った。
【００４２】
そして、図６にみるように、小穴２１、２２、２３、２４、２５は、それぞれ７／８、３１／３２、１１／８、１１／４、１３／８インチの５種のサイズのドリルビットに対応している。なお、表示は全てインチを単位とする。
【００４３】
また、小穴２１、２２は中指と薬指のフィンガー用とし、穿孔したのちにゴム製の補助具を差し込み、小穴２３、２４、２５は親指のサム用とし、穿孔したのちにウレタン製のソリッドを差し込んで再度ドリルするもので、前記５種のサイズに対応できる小穴数を穿っておけば十分である。
【００４４】
前述のように、ボール６にはグリップライン７、グリップセンターライン２５、スパンライン１２、１３及びブリッジライン１０、１１がそれぞれ描かれている。
【００４５】
而して、図８に示すとおり本体１の表面１４の直角角部をブリッジライン１０とスパンライン１２が直角に交差する角部に当接すると、該ブリッジライン１０及びスパンライン１２の二辺と本体１の二方向の端辺が合致する。
【００４６】
したがって、このとき何れかの小穴２１、２２を介して刻印すれば、これが中指孔のドリルビット中心点２７として得ることができる。
【００４７】
また、本体１を裏返して、ブリッジライン１１とスパンライン１２に合致させれば、前記同様に薬指孔のドリルビット中心点２８が得られる。
【００４８】
さらに、本体１を裏返した状態において、その端部辺をスパンライン１３の外側に接し、かつ、所望する小穴２３、２４、２５がグリップライン７上に合致したときに刻印すれば、親指孔としてのドリルビット中心点２９が得られる。
【００４９】
このように、本考案によればそれぞれのドリルビット中心点２７、２８、２９にドリルを施せば、所望するサイズの中指孔３０、薬指孔３１、親指孔３２を迅速、かつ、正確に得られ、常に一定の高精度・高品質を保全したサービスを簡便に提供できる。
また、本体１の材質は必要に応じてプラスチックス材や木竹材等を適用できる。
【００５０】
ちなみに、従前はそれぞれのドリルビット中心点２７、２８、２９を見出すことができないので、ブリッジライン１０、１１とスパンライン１２の双方にドリルビット外径を合わせながら中指孔３０、薬指孔３１をドリルし、また、ドリルビット外径をスパンライン１３に接しながら、かつ、グリップライン７がドリルビットの中心に合致するようにして親指孔３２をドリルしなければならない。
【００５１】
そのため、穿孔にバラツキが生じ熟練者をしてもその都度ボール６を動かしてその位置を微調整する必要がある。
【符号の説明】
【００５２】
１  本体
２  細幅長方形スリット
３  裏面
４  基点
５  内側目盛
６  ボール
７  グリップライン
８  エッジ
９  エッジ
１０  ブリッジライン
１１  ブリッジライン
１２  スパンライン
１３  スパンライン
１４  表面
１５  基点
１６  外側目盛
１７  小穴
１８  直線定規
１９  基点柱
２０  ブリッジ
２１  小穴
２２  小穴
２３  小穴
２４  小穴
２５  小穴
２６  グリップセンターライン
２７  ドリルビット中心点
２８  ドリルビット中心点
２９  ドリルビット中心点
３０  中指孔
３１  薬指孔
３２  親指孔
【図１】
0003158328.tif 000003
【図２】
0003158328.tif 000004
【図３】
0003158328.tif 000005
【図４】
0003158328.tif 000006
【図５】
0003158328.tif 000007
【図６】
0003158328.tif 000008
【図７】
0003158328.tif 000009
【図８】
0003158328.tif 000010
【図９】
0003158328.tif 000011
【図１０】
0003158328.tif 000012
【図１１】
0003158328.tif 000013